(57)【要約】【課題】円滑な摺動が可能であり、温度変化においてもカップリングレンズの光軸がずれないレンズホルダを備えた光ピックアップ装置を提供すること。【解決手段】光学ベース３と、光照射器５と、複数の光学系部材を有する光学系と、複数の光学部品のひとつを保持するレンズ支持部２１と、光検出器１６とを有し、光学ベース３は、レンズ支持部２１を支持する載置面３ｂを有するセンサーレンズ載置部３ａと、レンズ支持部２１の上面を付勢する板バネとを有し、レンズ支持部２１は、センサーレンズ載置部３ａにおいて前記複数の光学部品のひとつであるレンズ部２２の光軸方向に沿って移動可能になるようにレンズ位置調整用装置の冶具が挿入可能な穴２１ａを有すると共に、レンズ支持部２１に保持されているレンズ部２２の光軸Ｃの側方位置にセンサーレンズ載置部３ａの載置面３ｂと摺動可能に当接する摺動面２１ｂを有する。【選択図】図２
2008282457.tif 000002
【特許請求の範囲】
【請求項１】
光学ベースと、
前記光学ベースに取付けられ光ビームを照射する光照射器と、
前記光照射器から照射された光ビームを光ディスクに導くと共に前記光ディスクから反射される光ビームを所定方向に導く、複数の光学系部材から構成されている光学系と、
前記光ディスクから反射されて前記光学系によって導かれる光ビームを受光する光検出器とを有する光ピックアップ装置であって、
前記光学ベースは、前記複数の光学部品のひとつを載置するための載置面を有するレンズ載置部と、前記光学部品の上面を付勢する付勢手段とを有し、
前記光学部品は、前記レンズ載置部において前記複数の光学部品のひとつの光軸方向に沿って移動可能になるようにレンズ位置調整用装置の冶具が挿入可能な穴を有すると共に、前記複数の光学部品のひとつの光軸の側方位置に前記レンズ載置部の前記載置面と摺動可能に当接する摺動面を有することを特徴とする光ピックアップ装置。
【請求項２】
前記摺動面は、前記複数の光学部品のひとつの光軸方向において、分割されていることを特徴とする請求項１記載の光ピックアップ装置。
【発明の詳細な説明】
【技術分野】
【０００１】
本発明は、光ディスク装置に用いられる光ピックアップ装置に関する。
【背景技術】
【０００２】
周知のように、光ディスク装置に用いられる光ピックアップ装置は、光照射器から出射されたレーザ光を対物レンズによって光ディスクの信号記録面に集光し、その信号記録面からの反射光を光検出器により検出する装置である。
【０００３】
図４は、従来のセンサーレンズＡが光学ベース２００に装着されている状態を示している。図５は、レンズ支持部１０２を示しており、このレンズ支持部１０２と一体的にレンズ部１０１が収容されている。
【０００４】
センサーレンズＡは光学ベース２００に設けられている板バネ（図示せず）により、光学ベース２００のＶ字型の取付け溝２０１に付勢されて保持されている。この板バネは、レンズ支持部１００の下方に形成されている摺動面１０２を上記Ｖ字型の傾斜面２０２に付勢している。このため、レンズ支持部１００は、取付け溝２０１の延在方向に摺動可能に保持され、レンズ部１０１の光軸方向に沿って移動可能となっている。なお、摺動面１０２とＶ字型の傾斜面２０２との接触位置２０３は、レンズ部１０１の光軸Ｃよりも下方に位置している。
【０００５】
レンズ支持部１００の位置調整を行う場合には、レンズ支持部１００の上部中央に形成されている穴１０３にマイクロメータに取り付けられた治具の先端を挿入し、レンズ支持部１００を取付け溝２０１の延在方向に摺動して適正な位置に調整する。この際、治具の先端によってレンズ支持部１００に加わる力の働きにより、穴１０３が力点となり、摺動面１０２とＶ字型の傾斜面２０２との接触位置２０３が支点になる。
【発明の開示】
【発明が解決しようとする課題】
【０００６】
上記のようなレンズ支持部１００は、センサーレンズＡの位置調整を行う際、穴１０３が力点となり、摺動面１０２とＶ字型の傾斜面２０２との接触位置２０３が支点になる。しかし、力点となる穴１０３と支点となる接触位置２０３との間の距離が長いために、センサーレンズＡが傾斜しやすくなり、レンズ支持部１００を円滑に摺動することができないという問題がある。
【０００７】
また、レンズ支持部１００は、摺動面１０２とＶ字型の傾斜面２０２との接触位置２０３が、レンズ部１０１の光軸Ｃよりも下方に位置している。このため、レンズ支持部１００の温度上昇によりレンズ支持部１００全体が熱膨張すると、レンズ部１０１の中心Ｃの位置が上方へ移動する。即ち、光学ベース２００に対してレンズ部１０１が上方へ浮き上がるように移動する。このため、センサーレンズＡの温度が上昇すると、レンズ部１０１の光軸Ｃが光学ベース２００に対して上方へずれてしまうという問題点がある。
【０００８】
本発明は、円滑な摺動が可能であり、温度変化においてもセンサーレンズＡの光軸がずれない光ピックアップ装置を提供することを目的とする。
【課題を解決するための手段】
【０００９】
本発明に係る光ピックアップ装置は、光学ベースと、前記光学ベースに取付けられ光ビームを照射する光照射器と、前記光照射器から照射された光ビームを光ディスクに導くと共に前記光ディスクから反射される光ビームを所定方向に導く、複数の光学系部材から構成されている光学系と、前記光ディスクから反射されて前記光学系によって導かれる光ビームを受光する光検出器とを有する光ピックアップ装置であって、前記光学ベースは、前記複数の光学部品のひとつを載置するための載置面を有するレンズ載置部と、前記光学部品の上面を付勢する付勢手段とを有し、前記光学部品は、前記レンズ載置部において前記複数の光学部品のひとつの光軸方向に沿って移動可能になるようにレンズ位置調整用装置の冶具が挿入可能な穴を有すると共に、前記複数の光学部品のひとつの光軸の側方位置に前記レンズ載置部の前記載置面と摺動可能に当接する摺動面を有することを特徴とする。
【００１０】
さらに、本発明に係る光ピックアップ装置は、前記摺動面が、前記複数の光学部品のひとつの光軸方向において、分割されていることが好ましい。
【発明の効果】
【００１１】
請求項１記載の本発明によれば、光学ベースが複数の光学部品のひとつを載置するための載置面を有するレンズ載置部と、センサーレンズの上面を付勢する付勢手段である板バネとを有し、レンズ支持部は、レンズ載置部において前記複数の光学部品のひとつの光軸方向に沿って移動可能になるようにレンズ位置調整用装置の冶具が挿入可能な穴を有すると共に、前記複数の光学部品のひとつの光軸の側方位置にレンズ載置部の載置面と摺動可能に当接する摺動面を有している。
【００１２】
環境下の変化により温度上昇すると光学部品等のそれぞれの部品が熱膨張する。この熱膨張が生じた場合、光学部品の摺動面が前記光学部品の光軸の側方に位置しているため、レンズ中心（光軸中心）に膨張するので、光学ベースに対する光軸のずれを防止することができる。
【００１３】
また、レンズ支持部の摺動面が前記光学部品の光軸の側方に位置しているため、レンズ位置調整用装置の冶具が挿入可能な穴と摺動面との間の距離が短くなる。このため、力点となる穴と支点となる摺動面とが近接することにより、レンズホルダの位置調整の際にレンズホルダの傾斜が防止され、レンズホルダを円滑に摺動することができる。
【００１４】
さらに、請求項２記載の本発明によれば、摺動面が、レンズ支持部に保持されている前記光学部品の光軸方向において分割されていることを特徴とする。摺動面が分割されていることにより、レンズホルダの熱膨張による寸法歪が摺動面に発生しにくくなり、故に、光学ベースに対する前記光学部品の光軸のずれを確実に防止することができる。
【発明を実施するための最良の形態】
【００１５】
以下、図１ないし図３を参照しつつ本発明の実施形態について詳細に説明する。本実施形態の光ピックアップ装置１は、光学ベース３と、光学ベース３に取付けられ光ビームを照射する光照射器５と、光照射器５から照射された光ビームを光ディスクに導くと共に光ディスクから反射される光ビームを所定方向に導く、複数の光学系部材から構成されている光学系と、光ディスクから反射されて光学系によって導かれる光ビームを受光する光検出器１６とを有する光ピックアップ装置であって、光学ベース３は、レンズ支持部２１を支持するための載置面３ｂを有するセンサーレンズ載置部３ａと、レンズ支持部２１の上面を付勢する付勢手段である板バネ（図示せず）とを有し、レンズ支持部２１は、センサーレンズ載置部３ａにおいて前記複数の光学部品のひとつであるセンサーレンズ２のレンズ部２２の光軸方向に沿って移動可能になるようにセンサーレンズ位置調整用装置の冶具が挿入可能な穴２１ａを有すると共に、レンズ支持部２１に保持されている前記複数の光学部品のひとつであるセンサーレンズ２のレンズ部２２の光軸Ｃの側方位置にセンサーレンズ載置部３ａの載置面３ｂと摺動可能に当接する摺動面２１ｂを有することを特徴とする。
【００１６】
光ピックアップ装置１は、ＣＤとＤＶＤの両規格の光ディスクの情報の読み出し及び書き込みが可能な光ピックアップ装置である。図１は、光ピックアップ装置１の光学系を示す説明図である。なお、この図１において、光学ベース３を図面に表示すると各光学系部材間の位置的な関連性が不明確になるため光学ベース３は省略されている。
【００１７】
この光ピックアップ装置１は、ＣＤ用の光照射器５とＤＶＤ用の光照射器６とを有している。これら光照射器５、６から照射された光ビームを光ディスク（図示せず）に導くと共に、光ディスクから反射される光ビームを所定方向に導く複数の光学系部材から構成されている光学系は、ＣＤ用の光照射器５の出射側に配設されている回折格子５ａ及びカップリングレンズ１５と、ＤＶＤ用の光照射器６の出射側に配設されている回折格子６ａと、偏光ビームスプリッタ８と、ハーフミラー９と、コリメータレンズ１０と、立上げミラー１１と、１／４波長板１２と、対物レンズ１３と、センサーレンズ２と、光検出器１６とから構成されている。なお、符号１４によって示す部材は光量検出器である。光照射器５、６とこれらの光学系部材は光学ベース３に装着されている。
【００１８】
上記の光学系部材は、ＣＤとＤＶＤの両規格の光ディスクに対応できるようにＤＶＤ規格の光ディスクに対応するレーザー光のスポットサイズに合わせて設計されており、その一方、ＣＤへ対応するためにＣＤ用の光照射器５の照射側に配置したカップリングレンズ部２により光ディスクの信号記録面におけるレーザ光の焦点調整が行われている。センサーレンズ２は、ＣＤ、ＤＶＤの光ディスクから反射したレーザー光に非点収差を与えて光検出器１６に集光する。このスポット形の調整はレーザ光の進行方向に沿ってセンサーレンズ２を移動させることにより行う。即ち、センサーレンズ位置調整用装置を使用して光検出器１６に対してセンサーレンズ２を近づけたり離したりするように移動することにより適正なスポットサイズに調整する。
【００１９】
図２及び図３に示すように、センサーレンズ２は、レンズ支持部２１と、レンズ支持部２１の略中央に形成されているレンズ部２２とが合成樹脂製で一体的に成形されている。図３において、レンズ支持部２１の上部中央には、センサーレンズ２の位置調整を行うためのセンサーレンズ位置調整装置（図示せず）に用いる冶具を挿入するための角状の穴２１ａが形成されている。また、レンズ支持部２１の両側方には、計４つの摺動面２１ｂが形成されており、一の側方において、一対の摺動面２１ｂが凹部２１ｃによって分割されている。一対の摺動面２１ｂは、センサーレンズ２のレンズ部２２の光軸の側方に位置し、センサーレンズ２のレンズ部２２の光軸Ｃの側方位置において、後述するセンサーレンズ載置部３ａの載置面３ｂと摺動可能に当接している。
【００２０】
一方、光学ベース３は、レンズ支持部２１を支持するための溝状のセンサーレンズ載置部３ａを有しており、このセンサーレンズ載置部３ａの内側において、２つの載置面３ｂがセンサーレンズ載置部３ａの両側方にそれぞれ形成されている。図４において、光学ベース３のセンサーレンズ載置部３ａの上部には、板バネ（図示せず）が設けられている。この板バネは、レンズ支持部２１上面において穴２１ａの周囲を下方へ付勢する付勢手段であり、レンズ支持部２１をセンサーレンズ載置部３ａ内へ保持する役割を有している。このため、レンズ支持部２１はセンサーレンズ載置部３ａ内において、摺動可能に保持されている。
【００２１】
本実施形態のセンサーレンズ２の位置調整は、最初にレンズ支持部２１の穴２１ａ内にセンサーレンズ位置調整装置の冶具を挿入する。次に、センサーレンズ位置調整装置を操作し、センサーレンズ２をセンサーレンズ２のレンズ部２２の光軸Ｃの方向に沿って移動させ信号記録面におけるレーザ光の焦点調整を完了する。最後に、冶具をレンズ支持部２１の穴２１ａから上方へ引き上げるように抜脱し上記位置調整作業を終了する。
【００２２】
以下、本実施の形態の作用効果を説明する。
本実施形態の光ピックアップ装置１は、光学ベース３がレンズ支持部２１を載置するための載置面３ｂを有するセンサーレンズ載置部３ａと、レンズ支持部２１の上面を付勢する付勢手段である板バネ（図示せず）とを有し、レンズ支持部２１は、センサーレンズ載置部３ａにおいて前記複数の光学部品のひとつであるセンサーレンズ２のレンズ部２２の光軸方向に沿って移動可能になるようにセンサーレンズ位置調整用装置の冶具が挿入可能な穴２１ａを有すると共に、レンズ支持部２１に保持されている前記複数の光学部品のひとつであるセンサーレンズ２のレンズ部２２の光軸Ｃの側方位置にセンサーレンズ載置部３ａの載置面３ｂと摺動可能に当接する摺動面２１ｂを有している。
【００２３】
環境下の変化により温度上昇にするとセンサーレンズ２が熱膨張する。図２に示す矢印は、センサーレンズ２の光軸Ｃを中心として生じる熱膨張を示している。この熱膨張が生じた場合、レンズ支持部２１の摺動面２１ｂがセンサーレンズ２のレンズ部２２の光軸の側方に位置しているため、光学ベース３に対する光軸Ｃのずれを防止することができる。
【００２４】
また、レンズ支持部２１の摺動面２１ｂがセンサーレンズ２のレンズ部２２の光軸の側方に位置しているため、センサーレンズ位置調整用装置の冶具が挿入可能な穴２１ａと摺動面２１ｂとの間の距離が短くなる。このため、力点となる穴２１ａと支点となる摺動面２１ｂとが近接することにより、センサーレンズ２の位置調整の際にレンズ支持部２１の傾斜が防止され、センサーレンズ２を円滑に摺動することができる。
【００２５】
さらに、本実施形態の光ピックアップ装置１は、摺動面２１ｂが、センサーレンズ２のレンズ部２２の光軸方向において凹部２１ｃにより分割されていることを特徴とする。摺動面２１ｂが分割されていることにより、センサーレンズ２の熱膨張による寸法歪が摺動面２１ｂに発生しにくくなり、故に、光学ベース３に対するセンサーレンズ２のレンズ部２２の光軸Ｃのずれを確実に防止することができる。
【００２６】
以上、本発明ついて一実施の形態に即して説明してきたが、本発明は上記実施の形態に限定されるものではない。例えば、上述した実施の形態では、ＤＶＤ、ＣＤを使用した光ピックアップ場合を例に挙げて説明しているが、青色レーザビーム対応の光ディスクとしてＨＤ−ＤＶＤ、Ｂｌｕ−ｒａｙディスクを用いた光ピックアップにて適用されることは勿論である。また、上述した実施の形態では、センサーレンズ２を例に挙げて説明したが、それに限定されず、例えば、光ディスク用の光照射器の照射側に配置したカップリングレンズ１５を移動させる場合等、種々の光学部品にも適用可能なのはいうまでもない。
【図面の簡単な説明】
【００２７】
【図１】本発明の実施形態に係る光ピックアップ装置１の光学系部材の配置状態を示す部分斜視図である。なお、図面が不明確になるため光学ベース３は省略されている。
【図２】図１に示す光ピックアップ装置１の光学ベース３にセンサーレンズ２を取り付けた状態を示す部分拡大断面図である。
【図３】図１に示す光ピックアップ装置１のレンズ支持部２１の拡大斜視図である。
【図４】従来の光ピックアップ装置におけるレンズ支持部１００と光学ベース２００との位置関係を示す断面説明図である。
【図５】図４に示す光ピックアップ装置のレンズ支持部１００の拡大斜視図である。置関係を示す側面説明図である。
【符号の説明】
【００２８】
１  光ピックアップ装置
２  センサーレンズ
２１、１００  レンズ支持部
２１ａ、１０３  穴
２１ｂ、１０２  摺動面
２１ｃ  凹部
２２、１０１  レンズ部
３、２００  光学ベース
３ａ  センサーレンズ載置部
３ｂ  載置面
５、６  光照射器
５ａ、６ａ  回折格子
８  偏光ビームスプリッタ
９  ハーフミラー
１０  コリメータレンズ
１１  立上げミラー
１２  １／４波長板
１３  対物レンズ
１４  光量検出器
１５  カップリングレンズ
１６  光検出器
２０１  取付け溝
２０２  傾斜面
２０３  接触位置
Ａ  センサーレンズ
Ｃ  光軸
【図１】
2008282457.tif 000003
【図２】
2008282457.tif 000004
【図３】
2008282457.tif 000005
【図４】
2008282457.tif 000006
【図５】
2008282457.tif 000007